(57)【要約】    【課題】  光演出を伴う遊技機において、遊技者がこれらの演出及び回胴リール上の図柄をそれぞれ認識した場合における焦点距離の違いによる疲労感を低減すること。    【解決手段】  回胴リール１０の内周側に配置されて種々の光演出を表示する第１ＥＬパネル５０を装備する。この第１ＥＬパネル５０で表示された光演出は、遊技者が回胴リール１０の外周側から視認できるように回胴リール１０の内周面側から外周面側に投影される。このため、遊技者は、回胴リール１０上の図柄を視認する場合も投影された光演出を視認する場合も共に回胴リール１０上で視認することができ、図柄及び光演出を視認する際の焦点距離が同一となる。よって、これらを視認する際の焦点距離の違いによる疲労感を低減することができる。【選択図】      図１
2005144022.tif 000002
【特許請求の範囲】
【請求項１】
円筒状に形成され、側周面に種々の図柄が表示されてなる図柄表示手段と、該図柄表示手段の円筒軸心を軸心として該図柄表示手段を回動駆動させる駆動手段と、回動駆動している前記図柄表示手段の回動を停止させる停止手段とを有し、該停止手段によって前記図柄表示手段の回動が停止した際に所定視野領域内で表示される図柄又は図柄の組合せによって遊技状態を決定する遊技機において、
前記図柄表示手段の内周側に配置され、種々の光演出を表示する背面演出表示手段を備え、該背面演出表示手段で表示された光演出は、遊技者が前記図柄表示手段の外周側から視認できるように前記図柄表示手段の内周面側から外周面側に投影されることを特徴とする遊技機。
【請求項２】
円筒状に形成され、側周面に種々の図柄が表示されてなる複数の図柄表示手段と、該図柄表示手段の円筒軸心を軸心として該図柄表示手段を回動駆動させる駆動手段と、回動駆動している前記図柄表示手段の回動を停止させる停止手段とを有し、該停止手段によって前記図柄表示手段の回動が停止した際に所定視野領域内で表示される図柄又は図柄の組合せによって遊技状態を決定する遊技機において、
前記複数の図柄表示手段は、回動軸心が同一となるように所定の隙間を隔てて回動軸心方向に一列に配列されてなり、
前記所定の隙間のうちの前記所定視野領域内で視認する部分の一部又は全部を覆うように、各図柄表示手段間に種々の光演出を表示する隙間演出表示手段が形成されてなることを特徴とする遊技機。
【請求項３】
請求項１において、
前記図柄表示手段は複数個設けられ、
該複数の図柄表示手段は、回動軸心が同一となるように所定の隙間を隔てて回動軸心方向に一列に配列されてなり、
前記所定の隙間のうちの前記所定視野領域内で視認する部分の一部又は全部を覆うように、各図柄表示手段間に種々の光演出を表示する隙間演出表示手段が形成されてなることを特徴とする遊技機。
【発明の詳細な説明】
【技術分野】
【０００１】
本発明は、遊技機に関するものであり、特に、所定の視野領域内で変動する図柄を停止させ、停止表示した図柄または図柄の組合せによって特定役が成立したか否か等の遊技状態を決定する遊技に係るものである。
【背景技術】
【０００２】
遊技機には、表示パネルなどで示される特定枠内の所定視野領域内で認識される図柄を変動手段によって変動させ、停止手段によってその変動を停止させた後に、停止表示された図柄又は図柄の組合せによって遊技状態を決定するものがある。例えば、スロットマシン機や、フィーバー機と称されるパチンコ機のうち、複数の回胴リールを使用し、各回胴リールに様々な図柄を現したものは、各回胴リールを回動駆動させることによって表示パネル枠内の視野領域で表示される回胴リール上の図柄を変動させ、その後これらの回胴リールを停止させる。そして、回胴リールが停止した際に表示パネル領域内で表示される図柄の組合せで大当たりなどの遊技状態を決定し、決定された遊戯状態に従って景品体の払い出しやその後の状態を決定するものである。
【０００３】
近年、このような遊技機において、回胴リール前面の表示パネルをＥＬ（エレクトロルミネッセンス）素子を埋め込んだ透明パネルとし、回胴リールが回動駆動することで変動する図柄が停止した際、または図柄が変動する前の停止状態に、ＥＬ素子の発光パターンを変化させることによって様々な演出効果を行ってゲーム性（娯楽性）を豊かにし、遊戯者の興趣を高めるものが提案されている。例えば、特許文献１に記載の技術によれば、前面表示パネルにＥＬパネルを用い、回胴リールが停止した際の表示図柄とＥＬパネルで表示される絵柄との組合せや、ＥＬパネルのみで表示される絵柄の組合せよって、特定役の成立の可能性を高めるといった演出が行われる例が示されている。
【特許文献１】特開２００１−２５２３９３号公報
【発明の開示】
【発明が解決しようとする課題】
【０００４】
しかしながら、遊技者の視点から回胴リール前面の表示パネルまでの距離は、遊技者の視点から実際の図柄が表示された回胴リールまでの距離とは異なるため、遊技者が表示パネル上でＥＬ素子の発光による光演出を視認する際の焦点距離と回胴リール上の表示図柄を視認する際の焦点距離とが異なる。このため、遊技者は表示パネル上で光演出を視認した後に回胴リール上の図柄を視認する動作を繰り返すこととなり、それぞれの図柄や演出を視認するために焦点距離を調節する頻度が多くなる。従って、長時間遊技する場合に疲労の要因になるという問題がある。
【０００５】
ゆえに、本発明は、上記実情に鑑みて成されたものであり、光演出を伴う遊技機において、遊技者がこれらの演出及び回胴リール上の図柄をそれぞれ認識した場合における焦点距離の違いによる疲労感を低減することを、技術的課題とするものである。
【課題を解決するための手段】
【０００６】
上記技術的課題を解決するためになされた請求項１の発明は、
円筒状に形成され、側周面に種々の図柄が表示されてなる図柄表示手段と、該図柄表示手段の円筒軸心を軸心として該図柄表示手段を回動駆動させる駆動手段と、回動駆動している前記図柄表示手段の回動を停止させる停止手段とを有し、該停止手段によって前記図柄表示手段の回動が停止した際に所定視野領域内で表示される図柄又は図柄の組合せによって遊技状態を決定する遊技機において、
前記図柄表示手段の内周側に配置され、種々の光演出を表示する背面演出表示手段を備え、該背面演出表示手段で表示された光演出は、遊技者が前記図柄表示手段の外周側から視認できるように前記図柄表示手段の内周面側から外周面側に投影されることを特徴とする遊技機とすることである。
【０００７】
また、上記技術的課題を解決するためになされた請求項２の発明は、
円筒状に形成され、側周面に種々の図柄が表示されてなる複数の図柄表示手段と、該図柄表示手段の円筒軸心を軸心として該図柄表示手段を回動駆動させる駆動手段と、回動駆動している前記図柄表示手段の回動を停止させる停止手段とを有し、該停止手段によって前記図柄表示手段の回動が停止した際に所定視野領域内で表示される図柄又は図柄の組合せによって遊技状態を決定する遊技機において、
前記複数の図柄表示手段は、回動軸心が同一となるように所定の隙間を隔てて回動軸心方向に一列に配列されてなり、
前記所定の隙間のうちの前記所定視野領域内で視認する部分の一部又は全部を覆うように、各図柄表示手段間に種々の光演出を表示する隙間演出表示手段が形成されてなることを特徴とする遊技機とすることである。
【０００８】
また、請求項３の発明は、請求項１において、
前記図柄表示手段は複数個設けられ、
該複数の図柄表示手段は、回胴軸心が同一となるように所定の隙間を隔てて一列に配列されてなり、
前記所定の隙間のうちの前記所定視野領域内で視認する部分の一部又は全部を覆うように、各図柄表示手段間に種々の光演出を表示する隙間演出表示手段が形成されてなることを特徴としている。
【発明の効果】
【０００９】
請求項１の発明によれば、円筒状に形成された図柄表示手段の内周側に配置され種々の光演出を表示する背面演出表示手段によって表示された光演出は、図柄表示手段の内周面側から図柄表示手段に投影される。このようにして投影された光演出は、遊技者が図柄表示手段の外周面側から図柄表示手段上で視認できる。従って、遊技者は、図柄表示手段上の図柄を視認する場合も投影された光演出を視認する場合も共に図柄表示手段上で視認することができ、図柄及び光演出を視認する際の焦点距離が同一となる。よって、これらを視認する際の焦点距離の違いによる疲労感を低減することができる。
【００１０】
また、請求項２の発明によれば、円筒状に形成された複数の図柄表示手段は、それぞれ回動軸心が同一となるように所定の隙間を隔てて回動軸心方向に一列に配列されている。そして、この各図柄表示手段間の所定の隙間のうちの所定視野領域内（表示パネル内）で視認できる領域の一部又は全部を覆うように、各図柄表示手段間に種々の光演出を表示する隙間演出表示手段が形成されている。この隙間演出表示手段は、各図柄表示手段間の隙間を埋めるように配置されているため、各図柄表示手段に非常に近接している。よって、遊技者は、図柄表示手段上の図柄を視認する場合も隙間演出表示手段の光演出を視認する場合も焦点距離がほぼ同一となる。よって、これらを視認する際の焦点距離の違いによる疲労感を低減することができる。
【００１１】
また、請求項３の発明は、請求項１の発明と請求項２の発明の構成を組み合わせたもの、即ち、背面演出表示手段と隙間演出表示手段を共に備えた構成である。このような構成であると、両演出手段により光演出を幅広く行い得るとともに、複数の図柄表示手段間で途切れた背面演出表示手段の演出を、隙間演出表示手段で補完して、より鮮明な演出を行うことができるといった効果も奏する。
【発明を実施するための最良の形態】
【００１２】
以下に、本発明の実施の形態について、図面を参照して説明する。
【００１３】
図１は、本発明の実施形態における遊技機であるスロットマシン機の回胴リール付近の構造を示す概略図、図２は回胴リール付近の内部構造を示す概略断面図である。図に示すように、本例におけるスロットマシン機は、図柄表示手段としての回胴リール１０と、回胴駆動手段としてのステッピングモータ２０（図２参照）と、停止装置の一部として機能するストップボタン９０（図２参照）とを有する。
【００１４】
回胴リール１０は、図１に示すように一つのスロットマシン機に３つ配置されている（第１回胴リール１１、第２回胴リール１２、第３回動リール１３）。それぞれの回胴リール１１，１２，１３は、円筒状のフレーム枠を形成するリールドラム１４（図２参照）と、このリールドラム１４の側周面に貼付されたフィルム１５（図２参照）を備えて構成されている。また、これら３つの回胴リール１１，１２，１３は、それぞれの大きさが同一であり、かつ、それぞれの円筒軸心Ｌが同一となる位置に設置され、図に示すように円筒軸心Ｌ方向に所定の隙間Ａを隔てて一列に配置している。
【００１５】
図３は、リールドラム１４を示す斜視図である。図に示すように、リールドラム１４は、２つの円形リング部１４ａ、１４ｂと、複数の連結棒部１４ｃとを備えて構成されており、両円形リング部１４ａ、１４ｂを複数の連結棒部１４ｃで連結することによって、両円形リング部１４ａ、１４ｂが同軸的に接続された構造となっている。そして、両円形リング部１４ａ、１４ｂの間にフィルム１５が貼付されて、回胴リール１０を構成してなる。フィルム１５には、表面１５ａから視認可能に種々の図柄が表示されてなる（図２参照）。図柄は、フィルム１５の表面１５ａに印刷されていても良いが、フィルム表面層が透明の保護膜などで形成されている場合には、内部の層に印刷されていても良い。
【００１６】
また、図２に示すように、各回胴リール１０の略中央には、ステッピングモータ２０が配設されている。ステッピングモータ２０は、図示せぬ出力軸がリールドラム１４の両円形リング１４ａ、１４ｂの中心に配設されているハブ１４ｄに同軸的に接続される。また、ハブ１４ｄは、それぞれスポーク１４ｅによって各円形リング１４ａ、１４ｂに連結されてなる。従って、ステッピングモータ２０の回転は、ハブ１４ｄ、スポーク１４ｅを経て両円形リング１４ａ、１４ｂに伝達され、リールドラム１４が回転するようにされている。
【００１７】
各回胴リール１０の前方（図２において左方）には、表示パネル３０が取り付けられている。この表示パネル３０は、透明樹脂若しくはガラスで形成されており、周端部がスロットマシン機の筐体部分４０に嵌め込まれている。そして、この表示パネル３０には、回胴リール１０の一部分が対向されている。従って、表示パネル３０の前方（図２において左方）に位置する遊技者は、表示パネル３０で画定された所定視野領域内で、回胴リール１０に表示された図柄の一部を視認することができる。
【００１８】
図１及び図２に示すように、回胴リール１０の内周側には、第１ＥＬパネル５０が配設されている。この第１ＥＬパネル５０は、有機ＥＬ（エレクトロ・ルミネッセンス）素子が多数配されたパネルであり、それぞれのＥＬ素子が決められたパターンで発光することにより、遊技者に大当たりなどの期待感を高める等の光演出が行われるものである。図から分かるように、第１ＥＬパネル５０は、各回胴リール１０の内側により密接に沿わせるように有機ＥＬ素子が配設された面を円弧状として構成されている。尚、第１ＥＬパネル５０上で行われる演出パターンは、第１ＥＬパネル５０に電気的に接続されてなる制御ＣＰＵ６０において決定される。
【００１９】
また、図２から分かるように、回胴リール１０は、その全体を覆うようにハウジング７０が配設されている。このハウジング７０は、後方カバー部７１と前方カバー部７２とに分けられており、後方カバー部７１は金属製で、前方カバー部７２は透明樹脂製で形成されている。
【００２０】
後方カバー部７１には、その前方上端部に断面略コ字状とされた後方係合部７１ａが、その前方下端部にはフランジ状に下方に垂下した後方締結部７１ｂが、それぞれ形成されている。一方、前方カバー部７２には、その後方上端部にカール状に形成された前方係合部７２ａが、その後方下端部にはフランジ状に下方に垂下した前方締結部７２ｂが、それぞれ形成されている。カール状の前方係合部７２ａは、断面コ字状の後方係合部７１ａ内に収まって固定されており、中心に軸棒等が挿入されて、回動可能とされている。また。後方締結部７１ｂと前方締結部７２ｂとは対面されており、ネジ７３によって両者が締結固定されている。したがって、ネジ７３の締結を解くことにより、前方カバー部７２は、カール状の前方係合部７２ｂを中心として回動され、この回動によって前方カバー部７２が開閉可能とされている。
【００２１】
前方カバー部７２の内周側には、図２に示すように第２ＥＬパネル８０が固定されている。この第２ＥＬパネル８０は、前方カバー部７２の内周側から立設した脚部８１，８１によって支持されている。
【００２２】
図１に示すように、各回胴リール間には所定の隙間Ａが形成されているが、第２ＥＬパネル８０はこの隙間Ａの一部又は全部を覆うように設置されている。さらに、第２ＥＬパネル８０は、回胴リール１０の円弧形状に沿うように円弧形状に形成される。従って、第２ＥＬパネル８０は、隙間Ａを覆いつつ、かつ回胴リールに近接した状態で配設される。尚、本例では、回胴リールは３個配設され、これらの回胴リール間の隙間は２か所であるので、第２ＥＬパネルもこの２か所の隙間に配設される。また、第２ＥＬパネル８０も第１ＥＬパネル５０と同様に、制御ＣＰＵ６０に接続され、この制御ＣＰＵ６０によってその光演出のパターンが制御される
図２に示すように、制御ＣＰＵ６０は、第１ＥＬパネル５０及び第２ＥＬパネル８０が電気的に接続される他、ステッピングモータ２０、ストップボタン９０も電気的に接続されている。
【００２３】
上記構成のスロットマシン機において、以下にその作動について説明する。
【００２４】
まず、図示せぬコイン投入口から所定枚数のコインを投入し、スタートレバー（図示せず）を操作する。すると、ステッピングモータ２０が作動して各回胴リール１１，１２，１３が回動する。遊戯者は、筐体の前方に取り付けられたストップボタン９０を押す。すると、ストップボタン９０が押されたことが制御ＣＰＵ６０に伝達され、制御ＣＰＵ６０はストップボタン９０に対応した回胴リールを停止させる指令を回胴リールに出力する。このため対応した回胴リールの回動が停止する。これにより、表示パネル３０内の所定視野領域で所定の図柄が停止し、停止表示される図柄又は図柄の組合せによって遊技状態が決定される。
【００２５】
図４は、表示パネル３０内の所定視野領域で所定の図柄が停止表示された状態を示す図である。図４に示すように、遊技者がストップボタン９０を押して回胴リールを停止させると、表示パネル３０内の所定視野領域に３行３列の合計９個の図柄が表示され、遊技者は図柄を視認する。この場合においては、回胴リール１０の前方上部に配されているライト４１（図２参照）が点灯しており、このライト４１に表示図柄が照らされるため、遊技者は良好に図柄を視認することができる。
【００２６】
図５、図６は、遊技者がスタートレバーを操作し、各回胴リール１０が回動している最中に第１ＥＬパネル５０での演出が発生した状態を示す図である。第１ＥＬパネル５０での演出は、回胴リール１０に貼付されたフィルム１５の裏面側（回胴リール１０の内周側）からフィルム１５に投影される。そして、遊技者は、フィルム１５の裏側に投影された演出を、フィルム１５の表面側（回胴リール１０の外周側）から視認することができるものである。
【００２７】
本例で使用するフィルム１５は、裏面からの投影光が表面からでも十分視認可能となるような材質（例えば、ポリカーボネート）で形成されている。このようなフィルムの材質に加え、第１ＥＬパネル５０の演出中は回胴リール前方上部に配されているライト４１が消灯するようにされているため、フィルム１５の裏面側から投影された演出であっても、フィルム１５の表側から十分に演出が視認されるものである。
【００２８】
図５は、表示パネル３０内の図柄表示領域の個々の領域のいずれにも７が表示されるような演出である。図６は、表示パネル３０内の全面に大きな７が一つ表示されるような演出である。このような演出を、未だ表示パネル３０内の所定視野領域に停止する図柄が決定されていない回胴リールの回転中に行うことにより、遊技者に大当たりの期待感を持たせるといった効果がある。
【００２９】
図７は、第１ＥＬパネル５０のみならず、第２ＥＬパネル８０でも演出がなされた状態を示す図である。図６に示すように、表示パネル３０内の全面に大きな７が表示された場合、各回胴リール間の隙間Ａによって表示演出が途切れてしまい、鮮明な演出がなされない場合も起こる。この点、図７のように、第１ＥＬパネル５０と第２ＥＬパネル８０とを同時に演出させ、かつ両パネルを連動させることにより、例えば第１ＥＬパネル５０の演出で途切れた部分を第２ＥＬパネル８０で補完することができ、鮮明な演出を行うことができる。尚、第２ＥＬパネル８０のみでの演出も可能である。
【００３０】
以上のように、本例のスロットマシン機は、回胴リール１０の内周側に配置されて種々の光演出を表示する第１ＥＬパネル５０を有し、この第１ＥＬパネル５０で表示された光演出は、遊技者が回胴リール１０の外周側から視認できるように回胴リール１０の内周側から外周側に投影されるため、遊技者は、回胴リール１０上の図柄を視認する場合も投影された光演出を視認する場合も共に回胴リール１０上で視認することができ、図柄及び光演出を視認する際の焦点距離が同一となる。よって、これらを視認する際の焦点距離の違いによる疲労感を低減することができる。
【００３１】
また、本例のスロットマシン機は、複数の回胴リールを回動軸心Ｌが同一となるように所定の隙間を隔てて回動軸心Ｌ方向に一列に配列し、各回胴リール間の所定の隙間Ａのうちの表示パネル３０で視認する部分の一部又は全部を覆うように、各回胴リール間に種々の光演出を表示する第２ＥＬパネル８０を備えている。この第２ＥＬパネル８０は、各回胴リール間の隙間Ａを埋めるように配置されるとともに、回胴リールの円弧形状に沿う形状で形成されており、このため各回胴リールに非常に近接した配置構成を採り得る。よって、遊技者は、各回胴リール上の図柄を視認する場合も第２ＥＬパネル８０の光演出を視認する場合も焦点距離がほぼ同一となり、これらを視認する際の焦点距離の違いによる疲労感を低減することができる。
【００３２】
また、第１ＥＬパネル５０と第２ＥＬパネル８０とを併せ持つことにより、光演出を幅広く行い得るとともに、複数の回胴リール間で途切れた第１ＥＬパネル５０の演出を、第２ＥＬパネル８０で補完して、より鮮明な演出を行うことができる。
【００３３】
尚、本例においては、演出表示手段としてＥＬパネルを示したが、これに限定される必要ななく、その他の無機ＥＬパネル、液晶パネルなどでも良い。例えば、本例においては、各回胴リール１０の内側により密接に沿わせるように有機ＥＬにより種々の光演出を表示する第１ＥＬパネル５０（背面演出表示手段）を円弧状に構成したものを示したが、これに限定することなく例えば液晶画面によってこれを構成しても良い。この場合、平面状の液晶画面を各回胴リール１０に沿わせるように複数枚組み合わせるようにしても良い。第２ＥＬパネル８０（隙間演出表示手段）においても同様な構成で液晶画面などを利用することができる。
【図面の簡単な説明】
【００３４】
【図１】本発明の実施の形態におけるスロットマシン機の回胴リール付近の構造を示す概略図である。
【図２】本発明の実施の形態におけるスロットマシン機の回胴リール付近の内部構造を示す概略断面図である。
【図３】本発明の実施の形態におけるリールドラムの斜視図である。
【図４】本発明の実施の形態における表示パネルを遊技者側から見た図であり、回胴リールの図柄が停止表示された状態を示す図である。
【図５】本発明の実施の形態における表示パネルを遊技者側から見た図であり、回胴リールの回転中に第１ＥＬパネルでの光演出が発生した状態を示す図である。
【図６】本発明の実施の形態における表示パネルを遊技者側から見た図であり、回胴リールの回転中に第１ＥＬパネルでの光演出が発生した状態を示す図である。
【図７】本発明の実施の形態における表示パネルを遊技者側から見た図であり、回胴リールの回転中に第１ＥＬパネル及び第２ＥＬパネルでの光演出が発生した状態を示す図である。
【符号の説明】
【００３５】
１０：回胴リール（図柄表示手段）、１１：第１回胴リール、１２：第２回胴リール、１３：第３回胴リール
１４：リールドラム
１５：フィルム
２０：ステッピングモータ（回胴駆動手段）
３０：表示パネル
５０：第１ＥＬパネル（背面演出表示手段）
６０：制御ＣＰＵ
８０：第２ＥＬパネル（隙間演出表示手段）
【図１】
2005144022.tif 000003
【図２】
2005144022.tif 000004
【図３】
2005144022.tif 000005
【図４】
2005144022.tif 000006
【図５】
2005144022.tif 000007
【図６】
2005144022.tif 000008
【図７】
2005144022.tif 000009